(57)【要約】  本発明は、無線通信システム（１０）の端末（２０）の位置情報を取得するための方法（６０）に関し、上記方法は：  ‐標的送信デバイス（４０）が送信したメッセージを、端末（２０）によって受信するステップ（６１）；  ‐上記標的送信デバイスからあいまい識別情報を取得するステップ（６２）；  ‐上記標的送信デバイスからの上記あいまい識別情報を含むメッセージを、端末（２０）によって、アクセスネットワーク（３０）に送信するステップ（６３）；  ‐端末（２０）の概略地理的位置をアクセスネットワーク（３０）によって推定するステップ（６５）；  ‐複数の送信デバイスの送信デバイス識別子と、上記複数の送信デバイスそれぞれの上記地理的位置とのリストを記憶したテーブル中において、上記標的送信デバイスを識別するステップ（６６）；  ‐上記標的送信デバイスの地理的位置に従って上記端末の精密地理的位置を推定するステップ（６７）を含む。【選択図】図３
2021532651.tif 000002
【特許請求の範囲】
【請求項１】
無線通信システム（１０）の端末（２０）の位置情報を取得するための方法（６０）であって、
前記端末（２０）は、第１の無線通信プロトコルに従って、前記無線通信システムのアクセスネットワーク（３０）とメッセージを交換するよう適合されており、
前記方法は：
‐標的送信デバイス（４０）が第２の無線通信プロトコルに従って送信したメッセージを、前記端末（２０）によって受信するステップ（６１）；
‐前記標的送信デバイスからあいまい識別情報を取得するステップ（６２）；
‐前記標的送信デバイスの前記あいまい識別情報を含むメッセージを、前記端末（２０）によって、前記アクセスネットワーク（３０）に送信するステップ（６３）；
‐前記端末（２０）の概略地理的位置を前記アクセスネットワーク（３０）によって推定するステップ（６５）；
‐前記アクセスネットワーク（３０）によって、複数の送信デバイスの送信デバイス識別子と、前記複数の送信デバイスそれぞれの前記地理的位置とのリストを記憶したテーブル中において、前記標的送信デバイスを、前記あいまい識別情報に対応する識別子を有し、かつ前記端末（２０）の前記概略地理的位置に対応する地理的位置を有する、前記テーブル中の前記送信デバイスとして識別する、ステップ（６６）；
‐前記標的送信デバイスの前記地理的位置に基づいて、前記端末の精密地理的位置を前記アクセスネットワーク（３０）によって推定するステップ（６７）
を含むことを特徴とする、方法（６０）。
【請求項２】
前記標的送信デバイスから受信される前記メッセージは、前記標的送信デバイスのあいまいな識別子を含み、
前記あいまい識別情報は前記識別子に対応する、請求項１に記載の方法（６０）。
【請求項３】
前記標的送信デバイスから受信される前記メッセージは、前記標的送信デバイスの識別子を含み、
前記あいまい識別情報を取得する前記ステップ（６２）は、前記標的送信デバイスから受信される前記メッセージに含まれる前記識別子の非可逆圧縮を含む、請求項１に記載の方法（６０）。
【請求項４】
複数の前記標的送信デバイスが用いられ、前記端末の精密地理的位置は、前記標的送信デバイスそれぞれの地理的位置に基づいて推定される、請求項１〜３のいずれか１項に記載の方法（６０）。
【請求項５】
少なくとも２つの前記標的送信デバイスの前記あいまい識別情報は、前記第１の無線通信プロトコルに従って、１つのメッセージで前記アクセスネットワーク（３０）に送信される、請求項４に記載の方法（６０）。
【請求項６】
前記第２の無線通信プロトコルの範囲は、前記第１の無線通信プロトコルの範囲より小さい、請求項１〜５のいずれか１項に記載の方法（６０）。
【請求項７】
前記端末の前記概略地理的位置は、前記アクセスネットワークの少なくとも１つの基地局が受信した少なくとも１つのメッセージに基づいて推定され、前記基地局は所定の地理的位置にある、請求項１〜６のいずれか１項に記載の方法（６０）。
【請求項８】
前記端末（２０）の前記概略地理的位置を推定する前記ステップ（６５）は、前記推定するステップに寄与するいかなる明確な情報も、前記端末が前記アクセスネットワークにメッセージで送信することなく、前記アクセスネットワーク（３０）によって実施される、請求項１〜６のいずれか１項に記載の方法（６０）。
【請求項９】
無線通信システム（１０）の端末（２０）であって、
前記端末は、第１の無線通信プロトコルに従って、前記無線通信システムのアクセスネットワーク（３０）とメッセージを交換するよう適合された第１の通信モジュール（２１）と、第２の無線通信プロトコルに従ってメッセージを受信するよう適合された第２の通信モジュール（２２）とを含み、
前記端末（２０）は：
‐標的送信デバイスが送信したメッセージを、前記第２の通信モジュールによって受信すること；
‐前記標的送信デバイスのあいまい識別情報を、前記端末の処理回路（２３）によって取得すること；
‐前記標的送信デバイスの前記あいまい識別情報を含むメッセージを、前記第１の通信モジュールによって送信すること
のために構成されることを特徴とする、端末（２０）。
【請求項１０】
前記処理回路（２３）は、前記標的送信デバイスの前記あいまい識別情報を、前記標的送信デバイスから受信した前記メッセージに含まれる前記標的送信デバイスの識別子から取得するよう構成される、請求項９に記載の端末（２０）。
【請求項１１】
前記処理回路（２３）は、前記標的送信デバイスの前記あいまい識別情報を、前記標的送信デバイスの前記識別子の非可逆圧縮によって取得するよう構成される、請求項１０に記載の端末（２０）。
【請求項１２】
無線通信システム（１０）のアクセスネットワーク（３０）であって、
前記アクセスネットワークは、端末とメッセージを交換するよう適合されており、
前記アクセスネットワーク（３０）は：
‐前記端末が送信したメッセージを受信することであって、前記メッセージは、前記端末の近傍にある標的送信デバイスのあいまい識別情報を含む、受信すること；
‐前記端末（２０）の概略地理的位置を推定すること；
‐複数の送信デバイスの送信デバイス識別子と、前記複数の送信デバイスそれぞれの前記地理的位置とのリストを記憶したテーブル中において、前記標的送信デバイスを、前記あいまい識別情報に対応する識別子を有し、かつ前記端末（２０）の前記概略地理的位置に対応する地理的位置を有する、前記テーブル中の前記送信デバイスとして識別すること；
‐前記標的送信デバイスの前記地理的位置に基づいて、前記端末の精密地理的位置を推定すること
のために構成されることを特徴とする、アクセスネットワーク（３０）。
【請求項１３】
前記テーブルは、前記アクセスネットワークの外部の位置情報取得サーバに記憶されており、
前記アクセスネットワークは：
‐前記標的送信デバイスの前記地理的位置に関するリクエスト（Ｒ１）を、前記位置情報取得サーバに送信することであって、前記地理的位置に関する前記リクエストは、前記標的送信デバイスの前記あいまい識別情報、及び前記端末（２０）の前記概略地理的位置を含む、リクエスト（Ｒ１）を送信すること；
‐前記位置情報取得サーバから、前記標的送信デバイスの前記地理的位置を含む応答（Ｒ２）を受信すること
のために構成された、問い合わせサーバを含む、請求項１２に記載のアクセスネットワーク（３０）。
【請求項１４】
前記テーブルは、前記アクセスネットワークの外部の位置情報取得サーバに記憶されており、
前記アクセスネットワークは：
‐前記標的送信デバイスの前記地理的位置に関するリクエスト（Ｒ１）を、前記位置情報取得サーバに送信することであって、前記地理的位置に関する前記リクエストは、前記標的送信デバイスの前記あいまい識別情報を含む、リクエスト（Ｒ１）を送信すること；
‐前記位置情報取得サーバから、前記あいまい識別情報に対応する識別子を有する前記送信デバイスの前記地理的位置を含む応答（Ｒ２）を受信すること
のために構成された、問い合わせサーバを含み、
前記アクセスネットワークは、前記標的送信デバイスの前記地理的位置を、前記端末（２０）の前記概略地理的位置に対応する受信した前記地理的位置として識別するよう構成される、請求項１２に記載のアクセスネットワーク（３０）。
【請求項１５】
請求項９〜１１のいずれか１項に記載の端末（２０）、及び請求項１２〜１４のいずれか１項に記載のアクセスネットワーク（３０）を備える、無線通信システム（１０）。
【請求項１６】
記憶手段を含む位置情報取得サーバ（５０）であって、
前記記憶手段には、複数の送信デバイスの送信デバイス識別子と、前記複数の送信デバイスそれぞれの前記地理的位置とのリストを含むテーブルが記憶され、
前記位置情報取得サーバ（５０）は：
‐標的送信デバイスの前記地理的位置に関するリクエスト（Ｒ１）を受信することであって、前記地理的位置に関する前記リクエストは、前記標的送信デバイスの前記あいまい識別情報及び概略地理的位置を含む、リクエスト（Ｒ１）を受信すること；
‐受信した前記あいまい識別情報に対応する、記憶されている識別子を有し、かつ受信した前記概略地理的位置に対応する地理的位置を有する、テーブル中の送信デバイスを識別すること；
‐前記テーブル中で識別された前記送信デバイスの前記地理的位置を含む応答（Ｒ２）を送信すること
のために構成された手段を含むことを特徴とする、位置情報取得サーバ（５０）。
【発明の詳細な説明】
【技術分野】
【０００１】
本発明は、無線通信システムの端末の位置情報を取得する（ｇｅｏｌｏｃａｔｉｎｇ）ための方法及びシステムに関する。
【背景技術】
【０００２】
本発明は、制限するものでは全くないが、Ｍ２Ｍ（「マシンツーマシン（ｍａｃｈｉｎｅ  ｔｏ  ｍａｃｈｉｎｅ）」の頭字語）タイプ、又は「モノのインターネット（Ｉｎｔｅｒｎｅｔ  ｏｆ  ｔｈｉｎｇｓ）」（即ちＩｏＴ）タイプの用途に特に有利であることが分かっている。
【０００３】
現在、無線通信システムのアクセスネットワーク内の端末の地理的位置を取得するための多数の解決策が存在する。
【０００４】
例えば、ＧＰＳ（「全地球測位システム（Ｇｌｏｂａｌ  Ｐｏｓｉｔｉｏｎｉｎｇ  Ｓｙｓｔｅｍ）」）レシーバを端末に搭載でき、これにより上記端末は、上記端末の地理的位置を決定できる。端末はその後、この地理的位置を指示するメッセージを、無線通信システムのアクセスネットワークに送信できる。
【０００５】
しかしながら、地理的位置を推定できることが望ましいにもかかわらず、このようなＧＰＳレシーバを備えない端末も多数存在する。
【０００６】
アクセスネットワークにおいて、端末が送信し、上記アクセスネットワークの１つ以上の基地局が受信するメッセージに基づいて、上記端末の地理的位置を推定することも公知である。
【０００７】
例えば、地理的位置が先験的に知られている複数の基地局が同一のメッセージを受信した場合、各基地局におけるメッセージの受信の強度レベル（「受信信号強度インジケータ（Ｒｅｃｅｉｖｅｄ  Ｓｉｇｎａｌ  Ｓｔｒｅｎｇｔｈ  Ｉｎｄｉｃａｔｏｒ、即ちＲＳＳＩ）を比較することにより、上記端末の地理的位置を推定できる。しかしながら、多数のパラメータ（障害物、複数の経路等）が、基地局によるメッセージの受信の強度レベルに影響する可能性があるため、このようにして推定された端末の地理的位置は、極めて正確なものとなるとは限らない。
【０００８】
特に各基地局におけるメッセージの到着時点（Ｔｉｍｅｓ  ｏｆ  Ａｒｒｉｖａｌ（又はＴＯＡ））を比較することにより、端末の地理的位置を推定することもできる。しかしながらこの場合、これらの基地局を互いに時間的に同期させる必要があり、地理的位置の推定の精度は、基地局を互いに時間的に同期させる精度に左右される。ＩｏＴ及び／又はＭ２Ｍタイプの用途に関して、基地局同士の精密な時間的同期を実装することは一般に望ましくない。というのは、これによりアクセスネットワークの複雑性及び製造コストが増大するためである。
【発明の概要】
【発明が解決しようとする課題】
【０００９】
本発明の目的は、無線通信システムの端末の地理的位置を正確に決定できるようにする解決策を提案することにより、特に従来技術の上述の欠点の全て又は一部を克服することである。
【課題を解決するための手段】
【００１０】
更に本発明は、いくつかの実装形態において、端末と無線通信システムのアクセスネットワークとの間で交換されるデータの量を制限できるようにする解決策を提供することも目的とする。
【００１１】
この目的のために、第１の態様によると、本発明は、無線通信システムの端末の位置情報を取得するための方法に関し、上記端末は、第１の無線通信プロトコルに従って、上記無線通信システムのアクセスネットワークとメッセージを交換するよう適合されており、上記方法は：
‐標的送信デバイスが第２の無線通信プロトコルに従って送信したメッセージを、上記端末によって受信するステップ；
‐上記標的送信デバイスからあいまい識別情報を取得するステップ；
‐上記標的送信デバイスの上記あいまい識別情報を含むメッセージを、上記端末によって、上記アクセスネットワークに送信するステップ；
‐上記端末の概略地理的位置を上記アクセスネットワークによって推定するステップ；
‐複数の送信デバイスの送信デバイス識別子と、上記複数の送信デバイスそれぞれの上記地理的位置とのリストを記憶したテーブル中において、上記標的送信デバイスを、上記あいまい識別情報に対応する識別子を有し、かつ上記端末の上記概略地理的位置に対応する地理的位置を有する、上記テーブル中の上記送信デバイスとして識別する、ステップ；
‐上記標的送信デバイスの上記地理的位置に基づいて、上記端末の精密地理的位置を推定するステップ
を含む。
【００１２】
従って、上記アクセスネットワークは、「概略地理的位置（ａｐｐｒｏｘｉｍａｔｅ  ｇｅｏｇｒａｐｈｉｃａｌ  ｐｏｓｉｔｉｏｎ）」と呼ばれる上記端末の上記地理的位置の第１の推定と、「精密地理的位置（ｐｒｅｃｉｓｅ  ｇｅｏｇｒａｐｈｉｃａｌ  ｐｏｓｉｔｉｏｎ）」と呼ばれる上記地理的位置の第２の推定とを、連続的に決定する。「精密（ｐｒｅｃｉｓｅ）」及び「概略（ａｐｐｒｏｘｉｍａｔｅ）」は単に、上記精密地理的位置の精度が原理的に上記概略地理的位置の精度よりも良好であることを意味する。
【００１３】
上記端末の上記精密地理的位置を推定するために、上記アクセスネットワークは、上記端末が、送信デバイス及び上記送信デバイスそれぞれの地理的位置のリストを含むテーブルに記憶されている所定の地理的位置を有する少なくとも１つの標的送信デバイスから、メッセージを受信することもできるという事実を利用する。
【００１４】
上記標的送信デバイスが送信したメッセージを受信した上記端末は、上記標的送信デバイスの識別情報を含むメッセージを、上記アクセスネットワークに送信する。
【００１５】
しかしながらこの識別情報は、この識別情報が、上記テーブルに記憶されている地理的位置を有する複数の送信デバイスに対応する可能性が高いという点で、あいまいなものである。これは例えば、上記標的送信デバイスがローカル識別子、即ち異なる場所に配置された異なる複数の送信デバイスが使用できる識別子を用いる場合に当てはまる。しかしながらこれは特に、上記標的送信デバイスはグローバル識別子（即ち上記標的送信デバイスを一意に識別するあいまいでない識別子）を用いるものの、あいまい識別情報が、例えば上記アクセスネットワークに送信されることになるデータの量を低減するために、上記標的送信デバイスの上記グローバル識別子を部分的にしか含まないという場合にも当てはまり得る。
【００１６】
上記標的送信デバイスの識別のあいまい性を排除するために、上記アクセスネットワークは、例えば端末から受信したメッセージに対するＲＳＳＩ測定、ＴＯＡ測定等に基づいて、この端末の概略地理的位置を推定する。上記標的送信デバイスは上記端末の近傍に配置されるため、上記端末の上記概略地理的位置は、上記標的送信デバイスの上記概略地理的位置を示すものであると考えることができ、従ってこれを用いて、上記標的送信デバイスの識別のあいまい性を排除できる。実際には、たとえテーブルの２つ（以上）の送信デバイスが同一のあいまい識別情報に対応し得る場合でも、上記送信デバイスの記憶されている地理的位置は一般に全く異なり、これにより、上記標的送信デバイスを、あいまい識別情報に対応する上記テーブルの複数の上記送信デバイスの中から、記憶されている地理的位置が上記端末／標的送信デバイスの上記概略地理的位置に対応する送信デバイスとして識別できる。
【００１７】
上記標的送信デバイスの上記地理的位置が上記端末の近傍にあるという知識を用いて、上記端末の上記地理的位置の推定の精度を、上記概略地理的位置に比べて高くすることができる。上記第２の無線通信プロトコルの範囲が上記第１の無線通信プロトコルの範囲より小さい場合、上記端末の精密地理的位置は、上記標的送信デバイスの上記地理的位置に、例えば完全に対応する。
【００１８】
特定の実装形態では、上記位置情報取得方法は更に、以下の特徴のうちの１つ以上を、単独で又はいずれの技術的に可能な組み合わせで、含んでよい。
【００１９】
特定の実施形態では、上記標的送信デバイスから受信される上記メッセージは、上記標的送信デバイスのあいまいな識別子を含み、上記あいまい識別情報は上記識別子に対応する。
【００２０】
特定の実装形態では、上記標的送信デバイスから受信される上記メッセージは、上記標的送信デバイスの識別子を含み、上記あいまい識別情報を取得する上記ステップは、上記標的送信デバイスから受信される上記メッセージに含まれる上記識別子の非可逆圧縮を含む。
【００２１】
このような構成は、非可逆圧縮により、あいまい識別情報を送信するために必要なデータの量を減らすことができるという点で有利である。これは、メッセージに含むことができるデータの量を制限できるため、特にＩｏＴ又はＭ２Ｍタイプの用途に特に有利である。更に、同一のメッセージに、複数の標的送信デバイスに関する複数のあいまい識別情報を含めること、及び／又は上記メッセージに、例えば標的送信デバイスから受信したメッセージの受信強度レベルを示す情報等といった他の情報を含めることも可能とすることができる。
【００２２】
非可逆圧縮により、識別子は、（最初はあいまいでない場合には）あいまいとなる場合があり、又は（最初からあいまいである場合には）より一層あいまいとなる場合がある。しかしながら、上述のように、端末の概略地理的位置を考慮することにより、原理的には標的送信デバイスの識別のあいまい性を排除できる。
【００２３】
特定の実装形態では、複数の標的送信デバイスが用いられ、上記端末の精密地理的位置は、上記標的送信デバイスそれぞれの地理的位置に基づいて推定される。
【００２４】
特定の実装形態では、少なくとも２つの標的送信デバイスの上記あいまい識別情報は、上記第１の無線通信プロトコルに従って、１つのメッセージで上記アクセスネットワークに送信される。
【００２５】
特定の実装形態では、上記第２の無線通信プロトコルは、上記第１の無線通信プロトコルの範囲より小さい範囲を有する。
【００２６】
特定の実装形態では、上記端末の上記概略地理的位置は、上記アクセスネットワークの少なくとも１つの基地局が受信した少なくとも１つのメッセージに基づいて推定され、上記基地局は所定の地理的位置にある。
【００２７】
特定の実装形態では、上記端末の上記概略地理的位置の推定は、この推定に寄与するいかなる明確な情報も、上記端末が上記アクセスネットワークにメッセージで送信することなく、上記アクセスネットワークによって実施される。これは、上記端末が上記アクセスネットワークに、上記端末の地理的位置を推定可能とする情報を含むバイナリデータを有するメッセージを送信しないことを意味することが理解される。
【００２８】
このような構成により、上記端末の位置情報を取得するために、端末とアクセスネットワークとの間で交換されるデータの量を制限することもできる。例えば、上記アクセスネットワークは、上記端末からの、上記端末の地理的位置に関する情報を内包しない１つ以上のメッセージに関連するメタデータから、上記端末の概略地理的位置を推定できる。上記メタデータは例えば、上記アクセスネットワークの基地局が受信したメッセージの強度レベル、上記端末からメッセージを受信した基地局の識別子、異なる複数の基地局における同一のメッセージの到着時点の差の測定等に対応してよい。次に、例えばＲＳＳＩレベルに基づいた又は到着時点の差に基づいたマルチラテレーションといった様々な方法を用いて、上記端末の概略地理的位置を推定できる。メタデータを利用する機械学習アルゴリズムを実装する方法も実装できる。
【００２９】
特定の実装形態では、上記第１の無線通信プロトコルは、無線広域ネットワーク通信プロトコルである。
【００３０】
特定の実装形態では、上記第２の無線通信プロトコルは、無線ローカルエリアネットワーク又は無線パーソナルエリアネットワーク通信プロトコルである。
【００３１】
第２の態様によると、本発明は、無線通信システムの端末に関し、上記端末は、第１の無線通信プロトコルに従って、上記無線通信システムのアクセスネットワークとメッセージを交換するよう適合された第１の通信モジュールと、第２の無線通信プロトコルに従ってメッセージを受信するよう適合された第２の通信モジュールとを含む。上記端末は：
‐標的送信デバイスが送信したメッセージを、上記第２の通信モジュールによって受信すること；
‐上記標的送信デバイスのあいまい識別情報を、上記端末の処理回路によって取得すること；
‐上記標的送信デバイスの上記あいまい識別情報を含むメッセージを、上記第１の通信モジュールによって送信すること
のために構成される。
【００３２】
特定の実施形態では、上記端末は更に、以下の特徴のうちの１つ以上を、単独で又はいずれの技術的に可能な組み合わせで、含んでよい。
【００３３】
特定の実施形態では、上記処理回路は、上記標的送信デバイスの上記あいまい識別情報を、上記標的送信デバイスから受信した上記メッセージに含まれる上記標的送信デバイスの識別子から取得するよう構成される。
【００３４】
特定の実施形態では、上記処理回路は、上記標的送信デバイスの上記あいまい識別情報を、上記標的送信デバイスの上記識別子の非可逆圧縮によって取得するよう構成される。
【００３５】
第３の態様によると、本発明は、無線通信システムのアクセスネットワークに関し、上記アクセスネットワークは、端末とメッセージを交換するよう適合されており、上記アクセスネットワークは：
‐上記端末が送信したメッセージを受信することであって、上記メッセージは、上記端末の近傍にある標的送信デバイスのあいまい識別情報を含む、受信すること；
‐上記端末の概略地理的位置を推定すること；
‐複数の送信デバイスの送信デバイス識別子と、上記複数の送信デバイスそれぞれの上記地理的位置とのリストを記憶したテーブル中において、上記標的送信デバイスを、上記あいまい識別情報に対応する識別子を有し、かつ上記端末の上記概略地理的位置に対応する地理的位置を有する、上記テーブル中の上記送信デバイスとして識別すること；
‐上記標的送信デバイスの上記地理的位置に基づいて、上記端末の精密地理的位置を推定すること
のために構成される。
【００３６】
特定の実施形態では、上記アクセスネットワークは更に、以下の特徴のうちの１つ以上を、単独で又はいずれの技術的に可能な組み合わせで、含んでよい。
【００３７】
特定の実施形態では、上記テーブルは、上記アクセスネットワークの外部の位置情報取得サーバに記憶されており、上記アクセスネットワークは：
‐上記標的送信デバイスの上記地理的位置に関するリクエストを、上記位置情報取得サーバに送信することであって、上記地理的位置に関する上記リクエストは、上記標的送信デバイスの上記あいまい識別情報、及び上記端末の上記概略地理的位置を含む、リクエストを送信すること；
‐上記位置情報取得サーバから、上記標的送信デバイスの上記地理的位置を含む応答を受信すること
のために構成された問い合わせサーバを含む。
【００３８】
特定の実施形態では、上記テーブルは、上記アクセスネットワークの外部の位置情報取得サーバに記憶されており、上記アクセスネットワークは：
‐上記標的送信デバイスの上記地理的位置に関するリクエストを、上記位置情報取得サーバに送信することであって、上記地理的位置に関する上記リクエストは、上記標的送信デバイスの上記あいまい識別情報を含む、リクエストを送信すること；
‐上記位置情報取得サーバから、上記あいまい識別情報に対応する識別子を有する上記送信デバイスの上記地理的位置を含む応答を受信すること
のために構成された問い合わせサーバを含み、
上記アクセスネットワークは、上記標的送信デバイスの上記地理的位置を、上記端末の上記概略地理的位置に対応する受信した上記地理的位置として識別するよう構成される。
【００３９】
第４の態様によると、本発明は、本発明の実施形態のうちのいずれか１つによる端末、及び本発明の実施形態のうちのいずれか１つによるアクセスネットワークを備える、無線通信システムに関する。
【００４０】
第５の態様によると、本発明は、記憶手段を含む位置情報取得サーバに関し、上記記憶手段には、複数の送信デバイスの送信デバイス識別子と、上記複数の送信デバイスそれぞれの上記地理的位置とのリストを含むテーブルが記憶され、上記位置情報取得サーバは更に：
‐標的送信デバイスの上記地理的位置に関するリクエストを受信することであって、上記地理的位置に関する上記リクエストは、上記標的送信デバイスの上記あいまい識別情報及び概略地理的位置を含む、リクエストを受信すること；
‐受信した上記あいまい識別情報に対応する、記憶されている識別子を有し、かつ受信した上記概略地理的位置に対応する地理的位置を有する、テーブル中の送信デバイスを識別すること；
‐上記テーブル中で識別された上記送信デバイスの上記地理的位置を含む応答を送信すること
のために構成された手段を含む。
【００４１】
本発明は、非限定的な例として図面を参照して行われる以下の説明を読むことにより、より良好に理解されるであろう。
【図面の簡単な説明】
【００４２】
【図１】図１は、無線通信システムの例示的な実施形態の概略図である。
【図２】図２は、端末の例示的な実施形態の概略図である。
【図３】図３は、位置情報取得方法の主なステップを示す図である。
【図４】図４は、リモート位置情報取得サーバに問い合わせるアクセスネットワークを含む、通信システムの概略図である。
【発明を実施するための形態】
【００４３】
これらの図では、複数の図において同一である参照符号は、同一又は同様の要素を指す。明瞭性のために、図示されている要素は、特段の記載がない限り、正確な縮尺ではない。
【００４４】
図１は、少なくとも１つの端末２０と、複数の基地局３１を含むアクセスネットワーク３０とを含む、無線通信システム１０の概略図である。
【００４５】
端末２０は、メッセージをアクセスネットワーク３０にアップリンクで送信するよう適合される。各基地局３１は、上記端末がその範囲内にある場合に、端末２０からメッセージを受信するよう適合される。このようにして受信された各メッセージは例えば、場合によってはこれを受信した基地局３１の識別子、上記受信されたメッセージの受信強度レベル、上記メッセージの到着時点等といった他の情報と共に、アクセスネットワーク３０のサーバ３２に送信される。例えばサーバ３２は、異なる複数の基地局３１から受信した全てのメッセージを処理する。
【００４６】
無線通信システム１０は一方向性とすることができ、即ちこれは、アップリンクでの端末２０からアクセスネットワーク３０へのメッセージ交換のみを可能とする。しかしながら、他の例に応じて、双方向性の交換を可能とすることを除外するものではない。適切な場合、アクセスネットワーク３０はまた、メッセージを、該メッセージを受信するよう適合された端末２０に、基地局３１を介してダウンリンクで送信するよう適合される。
【００４７】
アップリンクでのメッセージの交換は、第１の無線通信プロトコルを用いる。
【００４８】
特定の実施形態では、上記第１の無線通信プロトコルは、無線広域ネットワーク（Ｗｉｒｅｌｅｓｓ  Ｗｉｄｅ  Ａｒｅａ  Ｎｅｔｗｏｒｋ）（又はＷＷＡＮ）通信プロトコルである。例えば、上記第１の無線通信プロトコルは、ＵＭＴＳ（「ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）」）、ＬＴＥ（「ロングタームエボリューション（Ｌｏｎｇ  Ｔｅｒｍ  Ｅｖｏｌｕｔｉｏｎ）」）、ＬＴＥ‐Ａｄｖａｎｃｅｄ  Ｐｒｏ、５Ｇタイプ等の標準化された通信プロトコルである。あるいは、上記第１の無線通信プロトコルは例えば、超狭帯域専用通信プロトコルである。「超狭帯域（Ｕｌｔｒａ  Ｎａｒｒｏｗ  Ｂａｎｄ、即ちＵＮＢ）」は、端末が送信するラジオ信号の瞬時周波数スペクトルの周波数幅が２キロヘルツ未満、又は１キロヘルツ未満でさえあることを意味する。
【００４９】
図１に示すように、端末２０はまた、上記端末２０の近傍に配置された少なくとも１つの標的送信デバイス４０が送信するメッセージを受信するよう適合される。標的送信デバイス４０が送信するメッセージは、第１の無線通信プロトコルとは異なる第２の無線通信プロトコルを用いる。標的送信デバイス４０は、無線通信システム１０から完全に独立していてよく、第１の無線通信プロトコルをサポートする必要がないことに留意されたい。
【００５０】
標的送信デバイス４０の地理的位置は、予め決定されており、異なる複数の送信デバイスの識別子と、上記複数の送信デバイスそれぞれの地理的位置とのリストを含む、テーブルに記憶される。
【００５１】
好ましい実施形態では、上記第２の無線通信プロトコルは、上記第１の無線通信プロトコルの範囲より小さい範囲を有する。このような場合、標的送信デバイス４０であって、その範囲内に端末２０が配置される、標的送信デバイス４０の地理的位置は、例えば端末２０が送信するメッセージを受信する基地局３１の地理的位置よりも精密な、端末２０の地理的位置に関する情報を提供する。第１の無線通信プロトコルが無線広域ネットワーク通信プロトコルである場合、第２の無線通信プロトコルは例えば、例えばＷｉ‐Ｆｉタイプ（ＩＥＥＥ８０２．１１規格）等の無線ローカルエリアネットワーク（即ちＷＬＡＮ）通信プロトコル、又は例えばＢｌｕｅｔｏｏｔｈタイプ等の無線パーソナルエリアネットワーク（即ちＷＰＡＮ）通信プロトコルである。
【００５２】
しかしながら、他の例によると、範囲が第１の無線通信プロトコルに劣らない第２の無線通信プロトコルを有することもできることに留意されたい。適切な場合、標的送信デバイス４０を、その範囲内に端末２０が配置される追加の機器であるとみなすことができ、これは、アクセスネットワーク３０の基地局３１の地理的位置に加えて標的送信デバイス４０の位置を考慮することで、端末２０の地理的位置の推定の精度の改善を可能とすることができる。
【００５３】
図２は、端末２０のある実施形態の概略図である。
【００５４】
図２に示すように、端末２０は、第１の無線通信プロトコルに従って基地局３１とメッセージを交換するよう適合された、第１の通信モジュール２１を含む。第１の通信モジュール２１は例えば、機器（アンテナ、増幅器、局部発振器、ミキサ、アナログフィルタ等）を含む無線回路の形態である。
【００５５】
端末２０は、第２の無線通信プロトコルに従って、標的送信デバイス４０が送信するメッセージを受信するよう適合された、第２の通信モジュール２２も含む。第２の通信モジュール２２は例えば、機器（アンテナ、増幅器、局部発振器、ミキサ、アナログフィルタ等）を含む電気無線回路の形態である。
【００５６】
更に、端末２０は、第１の通信モジュール２１及び第２の通信モジュール２２に接続された処理回路２３も含む。処理回路２３は例えば、１つ以上のプロセッサ及び記憶手段（磁気ハードディスク、電子メモリ、光ディスク等）を含み、上記記憶手段には、コンピュータプログラム製品が、後述する位置情報取得方法６０のいくつかのステップを実装するために実行されるプログラムコード命令のセットの形態で記憶される。あるいは又は更に、処理回路２３は、１つ以上のプログラマブル論理回路（ＦＰＧＡ、ＰＬＤ等）、及び／又は１つ以上の特定用途向け集積回路（ＡＳＩＣ等）、及び／又はディスクリート電子部品のセット等を含む。
【００５７】
換言すると、処理回路２３は、第１の通信モジュール２１及び第２の通信モジュール２２と協働して、後述する位置情報取得方法６０のいくつかのステップを実装するための、ソフトウェア（特定のコンピュータプログラム製品）及び／又はハードウェア（ＦＰＧＡ、ＰＬＤ、ＡＳＩＣ、ディスクリート電子部品等）構成の手段のセットを含む。
【００５８】
図３は、端末２０の位置情報を取得するための方法６０の主なステップの概略図であり、これらは：
‐標的送信デバイス４０が第２の無線通信プロトコルに従って送信したメッセージを、端末２０によって受信するステップ６１；
‐上記標的送信デバイスからあいまい識別情報を取得するステップ６２；
‐標的送信デバイス４０の上記あいまい識別情報を含むメッセージを、端末２０によって、アクセスネットワーク３０に送信するステップ６３；
‐上記あいまい識別情報を含む上記メッセージを、アクセスネットワーク３０によって受信するステップ６４；
‐端末２０の概略地理的位置をアクセスネットワーク３０によって推定するステップ６５；
‐上記概略地理的位置及び上記あいまい識別情報に基づいて、複数の送信デバイスの送信デバイス識別子と、上記複数の送信デバイスそれぞれの上記地理的位置とのリストを記憶したテーブル中において、標的送信デバイス４０を識別するステップ６６；
‐記テーブル中で標的送信デバイス４０として上識別された上記送信デバイスの上記地理的位置に基づいて、上記端末２０の精密地理的位置を推定するステップ６７
である。
【００５９】
図３に示したステップの構成は主に例示的なものであり、上記ステップの実行の時間的順序を示すものであるとは限らないことに留意されたい。特に、端末２０の概略地理的位置を推定するステップ６５は、標的送信デバイス４０が送信したメッセージを受信するステップ６１、あいまい識別情報を取得するステップ６２、及び端末２０によって実行される送信ステップ６３とは独立して実行できる。
【００６０】
端末２０が送信したメッセージを受信するステップ６４、端末２０の概略地理的位置を推定するステップ６５、標的送信デバイス４０を識別するステップ６６、及び上記端末２０の精密地理的位置を推定するステップ６７は、アクセスネットワーク３０、即ち１つ以上の基地局３１及び／又はサーバ３２によって実行される。これらのステップのうちのいくつかの間、アクセスネットワーク３０は、上記アクセスネットワーク３０の外部にある機器を任意に利用してよく、特に、上記アクセスネットワーク３０の外部の、テーブルが記憶されたリモート位置情報取得サーバ５０に、問い合わせを行うことができる。
【００６１】
本記載の残りの部分では、非限定的なものとして、アクセスネットワーク３０によって実行される受信ステップ６４を除く全てのステップが、端末２０から受信したメッセージを基地局３１から受信するサーバ３２によって実装される場合を考える。
【００６２】
この目的のために、基地局３１及びサーバ３２は、当業者には公知であると考えられるネットワーク通信手段をそれぞれ含み、これにより、基地局３１は受信した各メッセージをサーバ３２に送信できる。
【００６３】
サーバ３２は例えば、１つ以上のプロセッサ及び記憶手段（磁気ハードディスク、電子メモリ、光ディスク等）を含み、上記記憶手段には、コンピュータプログラム製品が、位置情報取得方法６０の上記ステップを実装するために実行されるプログラムコード命令のセットの形態で記憶される。あるいは又は更に、サーバ３２は、位置情報取得方法６０の上記ステップのうちの全て又は一部を実装するよう適合された、１つ以上のプログラマブル論理回路（ＦＰＧＡ、ＰＬＤ等）、及び／又は１つ以上の特定用途向け集積回路（ＡＳＩＣ）、及び／又はディスクリート電子部品のセット等を含む。
【００６４】
換言すると、サーバ３２は、位置情報取得方法６０の上記ステップを実装するための、ソフトウェア（特定のコンピュータプログラム製品）及び／又はハードウェア（ＦＰＧＡ、ＰＬＤ、ＡＳＩＣ、ディスクリート電子部品等）構成の手段のセットを含む。
【００６５】
これより、図３に示す様々なステップの実装の非限定的な例を説明する。
【００６６】
受信ステップ６１の間、端末２０の第２の通信モジュール２２は、標的送信デバイス４０が送信したメッセージを受信する。標的送信デバイス４０は例えば、その範囲内に上記端末２０が配置された、Ｗｉ‐Ｆｉアクセスポイント又はＢｌｕｅｔｏｏｔｈアクセスポイント等である。
【００６７】
ステップ６２の間、端末２０の処理回路２３は、好ましくは標的送信デバイス４０から受信したメッセージから、上記標的送信デバイス４０のあいまい識別情報を取得する。「あいまい識別情報（ａｍｂｉｇｕｏｕｓ  ｉｔｅｍ  ｏｆ  ｉｄｅｎｔｉｆｉｃａｔｉｏｎ  ｉｎｆｏｒｍａｔｉｏｎ）」は、これが、テーブルに記録された地理的位置を有する複数の送信デバイスに対応する可能性が高いことを意味する。換言すると、このあいまい識別情報を１つだけ使用しても、テーブル中のどの送信デバイスが標的送信デバイス４０に対応するかを確実に知ることはできない。
【００６８】
一般に、標的送信デバイス４０が送信するメッセージは、上記標的送信デバイスの識別子を含む。この識別子は、ローカル識別子（即ち異なる場所に配置された異なる複数の送信デバイスが使用できる識別子）、又はグローバル識別子（即ち１対１で上記標的送信デバイスを識別する、あいまいでない識別子）とすることができる。
【００６９】
例えば、標的送信デバイス４０がＷｉ‐Ｆｉアクセスポイントである場合、この標的送信デバイス４０だけでなく、他のいずれの送信デバイスも使用するグローバル識別子に対応する、ＭＡＣ（「Ｍｅｄｉｕｍ  Ａｃｃｅｓｓ  Ｃｏｎｔｒｏｌ（媒体アクセス制御）」）アドレスを有する。標的送信デバイス４０は、ＳＳＩＤ（「Ｓｅｒｖｉｃｅ  Ｓｅｔ  Ｉｄｅｎｔｉｆｉｅｒ（サービスセット識別子））も有し、これは一般に、異なる場所にある別の送信デバイスによって再利用できるローカル識別子である。
【００７０】
第１の例によると、端末２０は、標的送信デバイス４０から受信したメッセージからローカル識別子、例えばＳＳＩＤを抽出する。このようなローカル識別子は構成によって既にあいまいであり、あいまい識別情報等として使用できる。続いて取得ステップ６２は、受信したメッセージからローカル識別子を抽出することからなることができ、あいまい識別情報はこのローカル識別子に正に等しい。しかしながら、他の例によると、所定の関数を用いて上記ローカル識別子を修正することによりあいまい識別情報を取得することもでき、これにより、例えば送信されることになるデータの量を削減できる。
【００７１】
別の例によると、端末２０は、標的送信デバイス４０から受信したメッセージからグローバル識別子、例えばＭＡＣアドレスを抽出する。このようなグローバル識別子はあいまいでないものの、特にＩｏＴ又はＭ２Ｍタイプの用途に関して、大きすぎてアクセスネットワーク３０に送信できない可能性があるデータの量を示す。この場合に、グローバル識別子をあいまい識別情報に変換する主な目的は、送信されるデータの量を削減することであり、あいまい性はこのデータの量の削減の結果である。続いて取得ステップ６２は、受信したメッセージから上記グローバル識別子を抽出し、上記グローバル識別子のデータの量を削減することを目的とする所定の関数を用いて、上記グローバル識別子を修正することを含む。この修正は例えば非可逆圧縮に相当し、即ち取得したあいまい識別情報だけからはグローバル識別子を見出すことができない。一般に、いずれの公知の非可逆圧縮方法を実装でき、特定の方法の選択は単に本発明の変形実装形態を構成する。例えば、グローバル識別子が連続したビットの形態である場合、非可逆圧縮は、上記グローバル識別子のいくつかのビットの削除に対応する。４８又は６４ビットからなるＭＡＣアドレスの場合、非可逆圧縮は、いくつかの上位ビット、例えば上位１６ビット、又は上位２４ビットを除去することからなってよい。別の例によると、いくつかのビットの削除の代わりに、又はこれに加えて、暗号ハッシュ関数（例えばＭＤ５又はＳＨＡ‐１関数）を用いて非可逆圧縮を実施できる。
【００７２】
従って、場合に応じて、あいまい識別情報は、標的送信デバイス４０から受信したメッセージから抽出した識別子に（この識別子があいまいである場合は）そのまま対応し得るか、又は所定の関数を上記抽出した識別子に適用することにより取得でき、この所定の関数は好ましくは、あいまい識別情報を送信するのに必要なデータの量を削減することを目的としている。
【００７３】
送信ステップ６３の間、端末２０の第１の通信モジュール２１は、あいまい識別情報を含むメッセージをアクセスネットワーク３０に送信する。このメッセージは、ステップ６４の間に、アクセスネットワーク３０の１つ以上の基地局３１によって受信される。
【００７４】
あいまい識別情報の使用に関連する別の利点は、あいまい識別情報が、送信されるデータに機密性を付与することであることに留意されたい。実際には、あいまい識別情報単独では、どの送信デバイスが端末２０の近傍に配置されているかを確実に知ることはできず、従ってこれ単独では上記端末２０の位置を決定できない。従って、メッセージが悪意のあるエンティティによって傍受された場合、この悪意のあるエンティティは、傍受したメッセージの内容のみから端末２０の位置を決定することはできない。これは特に、あいまい識別情報が、標的送信デバイス４０のグローバル識別子の非可逆圧縮によって得られる場合に当てはまる。
【００７５】
ステップ６５の間、アクセスネットワーク３０は、上記端末２０の「概略地理的位置」と呼ばれる地理的位置を推定する。「概略（ａｐｐｒｏｘｉｍａｔｅ）」は単に、推定した概略地理的位置の精度が原理的に、ステップ６７の間に推定される「精密地理的位置」と呼ばれる地理的位置の精度より低いことを意味することに留意されたい。
【００７６】
考慮される例では、アクセスネットワーク３０は、上記端末２０から受信したメッセージに基づいて、端末２０の概略地理的位置を推定するよう構成される。好ましい実装形態では、概略地理的位置は、あいまい識別情報を含む受信したメッセージから推定される。しかしながら、他の例によると、上記端末２０が送信する、あいまい識別情報を含む上記メッセージ以外のメッセージから、上記端末２０の概略地理的位置を推定することを除外するものではない。
【００７７】
一般に、概略地理的位置を推定するためのいずれの方法を実装でき、特定の方法の選択は単に本発明の代替実装形態を構成する。例えば、アクセスネットワーク３０は、端末２０の概略地理的位置を、端末２０が送信するメッセージを受信した基地局３１の地理的位置として推定できる。端末２０が送信するメッセージを複数の基地局３１が受信できる場合、端末２０が送信するメッセージを受信した全ての基地局３１の地理的位置に基づいて（例えばこれらの地理的位置の重心を定義することによって）、端末２０の概略地理的位置を推定できる。
【００７８】
別の例によると、アクセスネットワーク３０は、端末２０が基地局３１に送信するメッセージの伝播の時間を、異なる基地局３１におけるこのメッセージのＴＯＡ測定又は到着時点差（Ｔｉｍｅ  Ｄｉｆｆｅｒｅｎｃｅｓ  ｏｆ  Ａｒｒｉｖａｌ、即ちＴＤＯＡ）の測定から計算することにより、１つ以上の基地局３１から端末２０を隔てる距離を推定できる。その後、基地局３１の地理的位置が分かっている場合は、マルチラテレーションによって、端末２０の位置を推定できる。
【００７９】
別の例によると、マルチラテレーションによって、端末２０がアクセスネットワーク３０に送信するメッセージに関する各基地局３１のＲＳＳＩ測定から、複数の基地局３１から端末２０を隔てる距離を決定することにより、端末２０の位置を推定できる。
【００８０】
更に別の例によると、アクセスネットワーク３０によって端末２０の概略地理的位置を推定するための方法は、考慮される地理的領域の地理的位置におけるフィンガープリントを組み合わせる機械学習技法に基づいたものとすることができる。このような方法は、所与の地理的位置に配置された端末２０が送信するメッセージに関する、基地局３１による受信の強度レベルが、経時的に安定しているという仮定に基づく。具体的には、これは、較正の第１段階の間に、複数の基地局３１のセットに対して考慮対象となる地理的位置にある端末２０について取得されたＲＳＳＩ測定のセットに対応する、既知の地理的位置の「電波シグネチャ（ｒａｄｉｏ  ｓｉｇｎａｔｕｒｅ）」に関連するデータベースを構築することに関する。続いて、検索段階の間に、その概略地理的位置の推定が求められる端末２０に関して観察された電波シグネチャを、データベースの全ての電波シグネチャと比較することで、この端末２０の電波シグネチャに最も類似する１つ以上の電波シグネチャに対応する１つ以上の地理的位置から、この端末２０の概略地理的位置を推定する。
【００８１】
好ましい実施形態では、上記端末の上記概略地理的位置の推定は、この推定に寄与するいかなる明確な情報も、上記端末が上記アクセスネットワークにメッセージで送信することなく、上記アクセスネットワークによって実施される（換言すると、上記端末は、上記アクセスネットワークに、上記端末の地理的位置を推定可能とする情報を含むバイナリデータを有するメッセージを送信しない）。このような構成により、端末とアクセスネットワークとの間で交換されるデータの量を制限して、本発明による位置情報取得方法を実装できる。
【００８２】
標的送信デバイス４０は端末２０の近傍に配置されるため、端末２０の概略地理的位置は、（第２の無線通信プロトコルの範囲内の）標的送信デバイス４０の概略地理的位置にも対応する。
【００８３】
識別ステップ６６の間、端末２０の概略地理的位置と、標的送信デバイス４０のあいまい識別情報とを用いて、地理的位置がテーブルに記憶されている送信デバイスの中から、上記標的送信デバイス４０を検索する。
【００８４】
一般に、標的送信デバイス４０は、受信したあいまい識別情報に対応する識別子を有し、かつ受信した概略地理的位置に対応する地理的位置を有する、テーブル中の送信デバイスである。従って、識別ステップ６６は、あいまい識別情報をテーブルに記憶された識別子と比較するステップ、及び概略地理的位置を上記テーブルに記憶された地理的位置と比較するステップを含む。
【００８５】
テーブルに記憶された識別子は、送信デバイスが、それ自体が送信したメッセージに組み込んだものであってよく、又はあいまい識別情報が所定の関数（ビットの削除、暗号ハッシュ関数等）の適用によって取得される場合には、この所定の関数の結果であってよいことに留意されたい。例えば、ＭＡＣアドレスの場合、テーブルに記憶された識別子は例えば、完全なＭＡＣアドレス、又は上記ＭＡＣアドレスに適用された所定の関数の結果である。完全なＭＡＣアドレスが記憶されている場合、あいまい識別情報との比較には、事前に記憶されたＭＡＣアドレスに所定の関数を適用することが必要となる。テーブルに記憶された識別子が、完全なＭＡＣアドレスに適用される所定の関数の結果に対応する場合、上記識別子を、あいまい識別情報と直接比較できる。
【００８６】
例えば限定するものではないが、まず、標的送信デバイス４０のあいまい識別情報に対応する記憶された識別子を有し、テーブルの全ての送信デバイスを識別できる。次に、あいまい識別情報に対応する記憶された識別子を有する送信デバイスの地理的位置を、端末２０／標的送信デバイス４０の概略地理的位置と比較する。標的送信デバイス４０は、あいまい識別情報に対応する識別子を有し、かつ概略地理的位置に最も近い記憶された地理的位置を有するものの中から、記憶された送信デバイスであるとみなされる。
【００８７】
テーブルは例えば、アクセスネットワーク３０の機器、例えばサーバ３２に記憶される。このような場合、識別ステップ６６は、外部機器を伴うことなく、アクセスネットワーク３０によって完全に実行できる。
【００８８】
あるいは、テーブルは、アクセスネットワーク３０の外部の位置情報取得サーバ５０に記憶できる。このような場合、アクセスネットワーク３０は、位置情報取得サーバ５０に遠隔で問い合わせるよう構成された問い合わせサーバを含むことができ、これはサーバ３２であってよく、又は別個の機器であってよい。
【００８９】
図４は、例示的な実施形態の概略図であり、ここでテーブルは、問い合わせサーバによって遠隔で問い合わせを受ける、上記アクセスネットワーク３０の外部の位置情報取得サーバ５０に記憶される。図４に示す非限定的な例では、問い合わせサーバは図１のサーバ３２に対応する。
【００９０】
図４に示すように、サーバ３２は、標的送信デバイス４０の地理的位置に関するリクエストＲ１を、上記位置情報取得サーバ５０に送信する。
【００９１】
地理的位置に関するリクエストＲ１は、少なくとも標的送信デバイス４０のあいまい識別情報と、好ましくは端末２０の概略地理的位置とを含む。この場合、位置情報取得サーバ５０は、テーブル中の、標的送信デバイスに対応する送信デバイスを直接識別し、標的送信デバイス４０として識別された上記送信デバイスの地理的位置を含む応答Ｒ２をサーバに送信する。
【００９２】
別の例では、地理的位置に関するリクエストＲ１は、端末２０の概略地理的位置を含まない。このような場合、位置情報取得サーバ５０は、あいまい識別情報に対応する識別子を有する、テーブルの全ての送信デバイスを識別し、標的送信デバイス４０に対応する可能性が高い全ての送信デバイスの地理的位置を応答Ｒ２で送信する。続いてアクセスネットワーク３０、例えばサーバ３２が、応答Ｒ２において受信した地理的位置を概略地理的位置と比較する。概略地理的位置に最も近い、受信した地理的位置が、標的送信デバイス４０の地理的位置であるとみなされる。
【００９３】
位置情報取得サーバ５０は例えば、１つ以上のプロセッサ及び記憶手段（磁気ハードディスク、電子メモリ、光ディスク等）を含み、上記記憶手段には、上記テーブル及びコンピュータプログラム製品が、地理的位置に関するリクエストＲ１を処理するために実行されるプログラムコード命令のセットの形態で記憶される。あるいは又は更に、位置情報取得サーバ５０は、１つ以上のプログラマブル論理回路（ＦＰＧＡ、ＰＬＤ等）、及び／又は１つ以上の特定用途向け集積回路（ＡＳＩＣ等）、及び／又はディスクリート電子部品のセット等を含む。
【００９４】
換言すると、位置情報取得サーバ５０は、標的送信デバイス４０の地理的位置に関するリクエストＲ１を処理するための、ソフトウェア（特定のコンピュータプログラム製品）及び／又はハードウェア（ＦＰＧＡ、ＰＬＤ、ＡＳＩＣ、ディスクリート電子部品等）構成の手段のセットを含む。
【００９５】
ステップ６７では、アクセスネットワーク３０は、テーブルから取得した標的送信デバイスの地理的位置から、端末２０の精密地理的位置を推定する。
【００９６】
例えば、端末２０の精密地理的位置は、標的送信デバイス４０に関して受信した地理的位置と等しくなるよう選択される。しかしながら、他の例によると、他の推定方法を実装することもできる。
【００９７】
特に、同一のタイプ（例えばＷｉ‐Ｆｉアクセスポイントのみ）のものであっても異なるタイプ（例えばＷｉ‐Ｆｉアクセスポイント及びＢｌｕｅｔｏｏｔｈアクセスポイント）のものであってもよい、複数の標的送信デバイスを考慮できる。このような場合、端末２０は、これらの標的送信デバイス４０それぞれからメッセージを受信し、これらの標的送信デバイス４０それぞれに関するあいまい識別情報を取得する。あいまい識別情報はアクセスネットワーク３０に送信され、好ましくはこの目的のために、メッセージの数が最小限に抑えられる。特に、非可逆圧縮を適用することによるデータの量の削減の利点は、１つのメッセージで複数のあいまい識別情報を送信できることにより、特に端末２０の電力消費の削減が可能となるという点にもある。続いて、標的送信デバイス４０の地理的位置がテーブル中で識別され、例えば端末２０の概略地理的位置を推定するステップ６５に関連して説明した方法を実装することにより、端末２０の精密地理的位置を標的送信デバイス４０の地理的位置から推定できる。特に、端末２０は、標的送信デバイス４０から受信したメッセージに対してＲＳＳＩ測定を実施でき、これらのＲＳＳＩ測定を表す情報をアクセスネットワーク３０に送信でき、その後アクセスネットワーク３０がこれらを用いて端末２０の地理的位置を推定できる。
【図１】
2021532651.tif 000003
【図２】
2021532651.tif 000004
【図３】
2021532651.tif 000005
【図４】
2021532651.tif 000006
【国際調査報告】
2021532651.tif 000007
2021532651.tif 000008
2021532651.tif 000009
2021532651.tif 000010
2021532651.tif 000011